(57)【特許請求の範囲】
【請求項１】
フード体の背板部、左右側板部に施されたハーフカット等の開口目印以上の大きな突抜口が開口され、建築に設けられている取付孔にその突抜口を挿通してプロペラファン及びファンモータを有する換気扇の後半部を嵌合して取付固定して、前記突抜口を介して換気扇回りからフード体内に建築壁が露呈するレンジフードファンであって、
前記換気扇の前面に対向する部位にフィルタを備え且つそれを除く上下左右面を盲板部で構成した換気扇カバーをフード体に取付けてなり、その換気扇カバーは換気扇を余裕をもって前方から覆うことができる程度の容積に組立形成されて前記突抜口を介して換気扇回りからフード体内に露呈する建築壁を見えないように隠していることを特徴とするレンジフードファン。
【請求項２】
前記換気扇カバーをフード体に着脱可能にしたことを特徴とする請求項１記載のレンジフードファン。
【発明の詳細な説明】
【０００１】
【産業上の利用分野】
本発明は、プロペラファンを有する換気扇を排気装置として設置したレンジフードファンに関するものである。
【０００２】
【従来の技術】
マンション等の集合住宅では高層化に伴い屋外の風圧も高くなることから、室内の換気を確実に行うため今日では換気効率に優れたシロッコファンを用いた換気扇が使用されている。
ところが、シロッコファンは鋼板製の多数の羽根を形成し、この羽根を鋼板製の上下板間に固定した頑丈で且つ複雑な作りになるため、単価が必然的に高くなる。
これに対して戸建住宅を含む平屋や２階立ての家屋、中層ビルでは高層ビルに比べて屋外の風圧も比較的低いため、プロペラファンを用いた低廉な換気扇が多く使用され、その設置現場も様々である。
この種のレンジフードファンは、フード体11、前板21、換気扇２等共にクッション材を介在した状態で梱包して施工現場まで搬送され、そこで建築壁Ａに取付施工されるが、現実問題としてフード体11の背板部11ｃ、左右側板部11ｂに施されたハーフカット等の開口目印３に比べて建築壁Ａに設けた取付口ａの開口位置精度が非常に悪く、レンジフードファンを所定設定位置に取付施工するに際して、ハーフカットを打ち抜くことと併行してその回りを取付口ａに適合する猶予ある大きさの突抜口（換気扇の本体枠用の突抜口）100 を背板部11ｃや左右側板部11ｂに施工現場でもって開口しなければならず、その結果、その突抜口100 と本体枠12との間の余白スペース200 から建築壁Ａがフード体11内に露呈し、見栄えを悪くする、そのため従来では図示するフィルタ構造を採用している（図４、図５）。
そのフィルタ構造は、フード体11の下位部分に後側に向かって若干下り傾斜のフィルタ６を設け、そのフィルタ６の前端に後端が一致するように前板21裏面に仕切板７を後側に向かって上り傾斜状に横設して、調理台から立ち上ぼる廃ガスをそのフィルタ６でろ過し、且つフィルタ６前方を上昇する廃ガスを仕切板７でフィルタ６側に案内するようにしたり（図４）、図４の仕切板７に代えてフィルタ８にしたものである（図５）。
【０００３】
【発明が解決しようとする課題】
しかし、図４ではフィルタ６、仕切板７とその回りの前板21、フード体11とで囲まれる捕捉空間９が非常に狭く、且つ仕切板７が廃ガスの障害物になることから、レンジフードファンから廃ガスが溢出する。ことに、燃焼器具（コンロ等）が、その作業性から流し台の前側に配置され、レンジフードファンの前端が調理者の頭部との関係から流し台の前端とほぼ同一か若干奥に引っ込んでいる場合には、仕切板に衝突する廃ガスが必然的に多くなり、前板から溢出する廃ガス量も多くなってしまう。
また、図５の場合にはフィルタ６、８とその回りの前板21、フード体11とで囲まれる捕捉空間９が非常に狭く、図４と同様に前板21から廃ガスが溢出するし、フィルタの増加で、フィルタ係止構造を新たに付設しなければならず、コストアップの原因にもなる。
ちなみに、換気扇の前面にフィルタを備えた先行技術（実公昭６２−１４５０３号公報記載）も存在するが、この油脂分吸着方式では突抜口から露呈する建築壁がフード体内から調理者等に視認されてしまい、内装性の向上に寄与できない。
【０００４】
本発明は、従来事情に鑑みてなされたもので、その目的とする処はフード体内からの建築壁の視認阻止を廃ガスの捕捉効率を向上させた上で遂行できるプロペラファン式の換気扇を設置したレンジフードファンを提供することにある。
【０００５】
【課題を解決するための手段】
上記目的を達成するために講じた技術的手段は、請求項１はフード体の背板部、左右側板部に施されたハーフカット等の開口目印以上の大きな突抜口が開口され、建築に設けられている取付孔にその突抜口を挿通してプロペラファン及びファンモータを有する換気扇の後半部を嵌合して取付固定して、前記突抜口を介して換気扇回りからフード体内に建築壁が露呈するレンジフードファンであって、
前記換気扇の前面に対向する部位にフィルタを備え且つそれを除く上下左右面を盲板部で構成した換気扇カバーをフード体に取付けてなり、その換気扇カバーは換気扇を余裕をもって前方から覆うことができる程度の容積に組立形成されて前記突抜口を介して換気扇回りからフード体内に露呈する建築壁を見えないように隠していることを要旨とする。
また、請求項２は請求項１記載の換気扇カバーをフード体に着脱可能に設けたことを要旨とする。
【０００６】
【作用】
上記技術的手段によれば、下記の作用がある。
（請求項１）換気扇と共にその換気扇回りのフード体部分を換気扇カバーで隠し、その換気扇カバーと前板との間に廃ガスの広い捕捉空間を確保する。
（請求項２）換気扇カバーが邪魔になることなく換気扇の取付、清掃等を行う。
【０００７】
【発明の効果】
本発明は以上のように換気扇の前面に対向する部位にフィルタを備え且つそれを除く上下左右面を盲板部で構成した換気扇カバーをフード体に取付け、換気扇カバーは換気扇を余裕をもって前方から覆うことができる程度の容積に組立形成して、そのフード体内で換気扇を換気扇カバー内に収容したから、ハーフカット等の開口目印以上の大きな突抜口（換気扇の本体枠用の突抜口）が換気扇回りに開口されて、その突抜口を介して建築壁がフード体内に露呈するようなことがあっても、換気扇カバーの隠蔽機能でその建築壁を室内から見えないように隠し、また換気扇カバーは前板との間の懐のある広い捕捉空間を残置するから、廃ガスの捕捉効率が高い排気性能とを発揮でき、内装性と排気性とが共に向上するプロペラファンタイプの換気扇を設置したレンジフードファンを提供する。
その上、換気扇カバーを着脱可能にしたものであるから、換気扇カバーで邪魔されずに換気扇の取付が行えたり、換気扇の清掃やモータの交換等も支障なく行え、便利である。
【０００８】
【実施例】
次に、本発明の実施例を図面に基づいて説明する。
図１乃至図３は本発明レンジフードファンの実施例を示し、符号１はレンジフードファン本体、２は換気扇である。
【０００９】
レンジフードファン本体１は、天板部11ａ、左右側板部11ｂ、背板部11ｃを一体に備え前方と下方を開放したフード体11と、そのフード体11の前方開放部を着脱可能に被蓋する前板21とからなっており、左右側板部11ｂ、背板部11ｃに排気装置である換気扇２を取付けるためのハーフカット等の開口目印３を付設している。
【００１０】
この開口目印３は、建物との取り合いや顧客が要望する方向性をもって換気扇２を取付けることができるようにするために設けられ、建築壁Ａに開口されている取付口ａと同等面積の突抜口100 を取付施工現場での打抜作業でもってフード体11の左右側板部11ｂ、背板部11ｃに容易に開口できるようにしている。
【００１１】
換気扇２は、縦断面階段状を呈する本体枠12の後端部に所定の風圧になると開放する風圧開放式や電気開放式のシャッタ（図示せず）を備えると共に、その前方にプロペラファン22と共にそのファンモータ（図示せず）を設置し、且つ本体枠12の前端部（室内側端部）にベルマウス32をその中心がファンモータの回転中心と一致するように組み付けてある。
【００１２】
また、施工現場で突抜口100 が打抜かれる開口目印３を挟む上下位置には、後述する換気扇カバー４の取付手段５が取付けられている。
【００１３】
この取付手段５は、工場にて付設されており、上側に位置する一対の掛止爪15と、下側の位置する一対の螺子込み座25からなっている。
【００１４】
換気扇カバー４は、前記換気扇２を余裕をもって前方から覆うことができる程度の容積に組立形成され、比較的幅広な上側盲板部14と幅狭な下側盲板部24との間の左右開放部を横側盲板部34で塞いで前後を共に開放し且つ前方開放部を下向き傾斜状としてなり、その上側盲板部14、下側盲板部24先端に抜き差し溝44を形成して、その抜き差し溝44にフィルタ54を抜き差し可能に係合している。
【００１５】
フィルタ54は、スロットフィルタ、パンチングメタル等今日周知の断面構造のものを適宜選択して使用する。また、符号54ａは取手である。
【００１６】
また、前記換気扇カバー４の上側盲板部14の後端には前記掛止爪15が掛脱する引っ掛け孔14ａを開孔すると共に、下側盲板部24の後端には前記螺子込み座25にネジ300 止めされる取付片24ａを固着している。
【００１７】
次に、本実施例レンジフードファンの取付施工を順を追って説明すると、背板部11ｃ、左右側板部11ｂ、11ｂの計３面に取付手段５を備えたフード体11、前板21、換気扇２、換気扇カバー４、フィルタ54を共に包装箱に梱包し、施工現場に搬送する。
そして、ハーフカット等からなる開口目印３を所望の手段で打抜いて背板部11ｃ、左右側板部11ｂ、11ｂのどれかの面部に突抜口100 を開口する
次に、フード体11を建築壁Ａに取り付けると共に、その突抜口100 を通して建築壁Ａに施工した取付口ａに換気扇２の本体枠12後半部を嵌合して取付固定する。
最後に一対の掛止爪15に引っ掛け孔14ａを引っ掛け、取付片24ａを一対の螺子込み座25にネジ300 止めして換気扇２を換気扇カバー４でその前方から覆い、換気扇カバー４の前方開放部をフィルタ54で閉塞する。
これによって換気扇２及び換気扇２の回り部分が換気扇カバー４及びフィルタ54でカバーされる。
【００１８】
従って、フード体11の背板部11ｃ、左右側板部11ｂ、11ｂに施されたハーフカット等の開口目印３に比べて建築壁Ａに設けた取付口ａの開口位置の精度が非常に悪く、レンジフードファンを所定設定位置に取付施工するに際して、ハーフカットを打ち抜くことと併行してその回りを取付口ａに適合する猶予ある大きさまで抉った大形な突抜口（換気扇の本体枠用の突抜口）100 を背板部11ｃや左右側板部11ｂに開口して、突抜口100 の本体枠12との余白スペースから建築壁Ａがフード体11内に露呈するようなことがあっても、室内から見えないように換気扇カバー４及びフィルタ54でカバーすることができる。
また、フィルタ54と前板21との間に懐が広い廃ガスの捕捉空間９が確保されるため、排気効率も非常に良くなる。
【００１９】
尚、前記取付手段５は、上側に位置する一対の掛止爪と、下側に位置する一対の螺子込み座とで形成する必要なく、適宜慣用手段や施工現場で容易に付設できる簡易構造のものを利用しても構わない。
【図面の簡単な説明】
【図１】正面断面図。
【図２】図１の縦断面図。
【図３】斜視図で一部切欠して示す。
【図４】従来例の縦断正面図。
【図５】他の従来例の縦断正面図。
【符号の説明】
22：プロペラファン        ２：換気扇
11：フード体              ４：換気扇カバー
54：フィルタ
14、24、34  ：盲板部（上側盲板部、下側盲板部、横側盲板部）
９：捕捉空間
【図１】
0003635126.tif 000002
【図２】
0003635126.tif 000003
【図３】
0003635126.tif 000004
【図４】
0003635126.tif 000005
【図５】
0003635126.tif 000006